(57)【要約】【課題】大規模なプラント等に適したサイズの冷却除湿塔を提供することが可能になり、低コストで除湿効率を高めることができる多積式大容量除湿装置を提供する。【解決手段】冷却除湿塔の機能を有し該冷却除湿塔のサイズより小型化された冷却除湿モジュール１０を設ける。該冷却除湿モジュール１０をトラックの荷台に積載可能なサイズに形成する。複数の冷却除湿モジュール１０を上下方向に連結したときの各冷却除湿モジュール１０の空気処理量の総和が大型プラントの空気処理量に適応させるようにして大容量圧縮空気の除湿装置を構成する。上部の冷却除湿モジュール１０から排出されるドレンを下部の冷却除湿モジュール１０の冷却媒体として用いる。【選択図】図１
2011005384.tif 000002
【特許請求の範囲】
【請求項１】
冷却除湿塔の機能を有し該冷却除湿塔のサイズより小型化された冷却除湿モジュールを上下に連結する多積式の除湿装置を設け、該冷却除湿モジュールをトラックの荷台に積載可能なサイズに形成すると共に、複数の冷却除湿モジュールを上下方向に連結したときの各冷却除湿モジュールの空気処理量の総和が大型プラントの空気処理量に適応させるようにして大容量圧縮空気の除湿装置を構成し、上部の冷却除湿モジュールから排出されるドレンを下部の冷却除湿モジュールの冷却媒体として用いることを特徴とする多積式大容量圧縮空気の除湿装置。
【請求項２】
前記冷却除湿モジュールは、略筒状の胴体部と底部とで構成され、胴体部に圧縮空気を導入する空気入口と、除湿された圧縮空気を排出する空気出口とを形成し、胴体部の内部に冷却液を循環せしめる冷却用コイルと、冷却された圧縮空気からドレンを分離するデミスターとを備えると共に、冷却除湿モジュールの底部にドレン排出用の排水管を備え、該排水管から排出されるドレンを冷却除湿モジュール内部の冷却用コイル上に落下するように設けた請求項１記載の多積式大容量圧縮空気の除湿装置。
【請求項３】
前記ドレン排出用の排水管を屈曲して略Ｕトラップ状に形成し、該排水管でドレンを溜めるサイホン式トラップを設け、該排水管を通して各冷却除湿モジュールの圧縮空気が移動しないように設けた請求項２記載の多積式大容量圧縮空気の除湿装置。
【請求項４】
前記冷却除湿モジュールの底部と胴体部の開口部との周縁部に他の冷却除湿モジュールを着脱自在に連結する接続フランジが形成され、最上段に接続された冷却除湿モジュールの開口部の接続フランジに、密閉用の鏡板が装着され、一方、最下段に接続された冷却除湿モジュールの排水管にオートドレン弁が装着された請求項１乃至３いずれか記載の多積式大容量圧縮空気の除湿装置。
【請求項５】
冷却除湿塔の機能を有し該冷却除湿塔のサイズより小型化された冷却除湿モジュールを上下に連結する多積式の除湿装置を使用した大容量圧縮空気の除湿方法であて、トラックの荷台に積載可能なサイズに形成された冷却除湿モジュールを上下に複数台連結したときの空気処理量の総和を大型プラントの空気処理量に適応させ、上部の冷却除湿モジュールから排出されるドレンを下部の冷却除湿モジュールの冷却媒体として利用することを特徴とする大容量圧縮空気の除湿方法。
【発明の詳細な説明】
【技術分野】
【０００１】
本発明は、大型プラント等の大規模な除湿に使用する超大型の圧縮空気の除湿装置として使用されるもので、特に、除湿装置をモジュール化して複数台組み合わせるようにすることで、トラックでの輸送を可能にした多積式大容量圧縮空気の除湿装置及び除湿方法に関する。
【背景技術】
【０００２】
大型プラントの大規模な除湿には、超大型の除湿装置が必要とされる。ところが、冷却除湿塔があまり大きすぎると製作場所から使用場所へ搬出するのに困難が生じる。すなわち冷却除湿塔は、通常トラックで搬送されるが、トラックの積載量及び荷台の幅や長さに制限があり、大規模なプラント等に適したサイズの冷却除湿塔を提供することは困難であった。
【０００３】
このため現実的には、プラントの規模に応じて複数の冷却除湿塔を設置しているが、複数の冷却除湿塔を設置すると圧縮空気除湿装置全体の占有面積が大きくなる不都合が生じる。
【０００４】
一方、複数の冷却除湿筒を上下に重ねるようにした圧縮空気の除湿装置が特許文献１に記載されている。この除湿装置は、２台の除湿筒を上下に平行に並べて配置したもので、圧縮空気を供給する側にメイン導入管を設置し、このメイン導入管と各除湿筒の空気導入管との間に水滴貯留槽を配置したものである。
【０００５】
この除湿装置によると、圧縮空気がメイン空気導入管から水滴貯留槽に流入すると、圧縮空気中の水滴が貯留槽の壁面に衝突し、圧縮空気中の水滴が壁面に付着して流下する。また圧縮空気中に浮遊する水滴は重力によって水滴貯留槽下端に溜まる。このようにして圧縮空気中の水滴が分離され、空気導入管には水滴を殆ど含まない圧縮空気が供給されるというものである。
【先行技術文献】
【特許文献】
【０００６】
【特許文献１】特許第３３６６５６７号公報
【発明の概要】
【発明が解決しようとする課題】
【０００７】
ところが、特許文献１に記載の除湿装置によると、除湿効率を高めるために水滴貯留槽を除湿筒の前に配置し、圧縮空気中の水滴を分離するものであるが、この水滴貯留槽を設置するスペースが別途必要になるので、省スペースでの設置は困難である。このような除湿装置では、設置スペースがあまり問題にならない比較的小規模の除湿に適するとしても、大型プラントの大規模な除湿に使用する超大型の除湿装置には向いていない。
【０００８】
すなわち、大型プラントの大規模な除湿に使用する超大型の除湿装置は、その規模ゆえに除湿装置による占有面積をできるだけ少なくする必要がある。しかも、大規模な除湿に使用するために、更に合理的な除湿能力が望まれるものである。
【０００９】
そこで本発明は、上述の課題を解消すべく創出されたもので、大規模なプラント等に適したサイズの冷却除湿塔を運搬可能なサイズで提供することが可能になり、しかも、低コストで除湿効率を高めることができる多積式大容量除湿装置及び除湿方法の提供を目的とするものである。
【課題を解決するための手段】
【００１０】
上述の目的を達成すべく本発明における第１の手段は、冷却除湿塔の機能を有し該冷却除湿塔のサイズより小型化された冷却除湿モジュール１０を上下に連結する多積式の除湿装置を設け、該冷却除湿モジュール１０をトラックの荷台に積載可能なサイズに形成すると共に、複数の冷却除湿モジュール１０を上下に連結したときの各冷却除湿モジュール１０の空気処理量の総和が大型プラントの空気処理量に適応させるようにして大容量圧縮空気の除湿装置を構成し、上部の冷却除湿モジュール１０から排出されるドレンを下部の冷却除湿モジュール１０の冷却媒体として用いることにある。
【００１１】
第２の手段において、前記冷却除湿モジュール１０は、略筒状の胴体部１と底部２とで構成され、胴体部１に圧縮空気を導入する空気入口４と、除湿された圧縮空気を排出する空気出口５とを形成し、胴体部１の内部に冷却液を循環せしめる冷却用コイル６と、冷却された圧縮空気からドレンを分離するデミスター７とを備えると共に、冷却除湿モジュール１０の底部２にドレン排出用の排水管８を備え、該排水管８から排出されるドレンを冷却除湿モジュール１０内部の冷却用コイル６上に落下するように設けている。
【００１２】
第３の手段は、前記ドレン排出用の排水管８を屈曲してＵトラップ状に形成し、該排水管８でドレンを溜めるサイホン式トラップを設け、該排水管８を通して各冷却除湿モジュール１０の圧縮空気が移動しないように設けたことにある。
【００１３】
第４の手段は、前記冷却除湿モジュール１０の底部２と胴体部１の開口部１Ａとの周縁部に他の冷却除湿モジュールを着脱自在に連結する接続フランジ９が形成され、最上段に接続された冷却除湿モジュール１０の開口部１Ａの接続フランジ９に、密閉用の鏡板３が装着され、一方、最下段に接続された冷却除湿モジュール１０の排水管８にオートドレン弁が装着されていることを課題解消のための手段とする。
【００１４】
第５の手段は、冷却除湿塔の機能を有し該冷却除湿塔のサイズより小型化された冷却除湿モジュール１０を上下に連結する多積式の除湿装置を使用した大容量圧縮空気の除湿方法であて、トラックの荷台に積載可能なサイズに形成された冷却除湿モジュール１０を上下に複数台連結したときの空気処理量の総和を大型プラントの空気処理量に適応させ、上部の冷却除湿モジュール１０から排出されるドレンを下部の冷却除湿モジュール１０の冷却媒体として利用する大容量圧縮空気の除湿方法にある。
【発明の効果】
【００１５】
本発明の請求項１、５の如く、該冷却除湿モジュール１０をトラックの荷台に積載可能なサイズに形成すると共に、複数の冷却除湿モジュール１０を上下方向に連結したときの各冷却除湿モジュール１０の空気処理量の総和が大型プラントの空気処理量に適応させるようにして大容量圧縮空気の除湿装置を構成したことにより、除湿しようとするプラントが大規模になっても、大型プラントの空気処理量に適応した除湿装置の提供が可能になる。
【００１６】
しかも、各冷却除湿モジュール１０は、トラックの荷台に積載可能な大きさであるから、どのような場所でも運搬することが容易になり、更に、冷却除湿モジュール１０を上下に連結する構造によって、従来のように設置スペースが広くなる不都合は解消された。
【００１７】
また、上部の冷却除湿モジュール１０から排出されるドレンを下部の冷却除湿モジュール１０の冷却媒体として用いることから、合理的な除湿が可能になり、大容量除湿装置の除湿効率を高めることができる。
【００１８】
請求項２に記載の如く冷却除湿モジュール１０を構成したことで、冷却除湿モジュール１０の構成が簡略化されながら冷却除湿塔と同じ機能を有するものである。しかも、該排水管８から排出されるドレンを冷却除湿モジュール１０内部の冷却用コイル６上に落下するように設けたことから、ドレンを効率良く利用することができ、低コストで除湿効率を高めることができる。
【００１９】
請求項３に記載のように、前記ドレン排出用の排水管８を屈曲してＵトラップ状に形成し、該排水管８でドレンを溜めるサイホン式トラップを設け、該排水管８を通して各冷却除湿モジュール１０の圧縮空気が移動しないように設けているので、上下に連続した冷却除湿モジュール１０を個別で稼動させながら、排水管８から排出されるドレンのみを合理的に使用することができる。
【００２０】
請求項４に記載のように、冷却除湿モジュール１０の底部２と胴体部１の開口部１Ａとに他の冷却除湿モジュールを着脱自在に連結する接続フランジ９が形成されているので、上下方向への連結作業も容易に行える。
【００２１】
また、最上段に接続された冷却除湿モジュール１０に密閉用の鏡板３を装着し、一方、最下段に接続された冷却除湿モジュール１０の排水管８にオートドレン弁を装着することで、大型のプラントに適した超大容量の冷却除湿塔を簡単に構成することができる。
【図面の簡単な説明】
【００２２】
【図１】本発明の一実施例を示す正断面図である。
【図２】本発明の冷却除湿モジュールの一実施例を示す正断面図である。
【発明を実施するための形態】
【００２３】
本発明によると、大規模なプラント等に適したサイズの冷却除湿塔及び除湿方法を提供することが可能になり、しかも、低コストで除湿効率を高めることができるなどといった目的を実現した。
【実施例１】
【００２４】
以下、本発明の一実施例を説明する。本発明除湿装置は、複数の冷却除湿モジュール１０を上下に接続して１つの大容量圧縮空気の除湿装置として使用するものである。
【００２５】
冷却除湿モジュール１０は、冷却除湿塔の機能を有し該冷却除湿塔のサイズより小型化されたもので、トラックの荷台に積載可能なサイズに形成されている（図２参照）。例えば、冷却除湿モジュール１０の胴径を２，５００ｍｍ〜３，０００ｍｍとし、長さ（高さ）を５ｍ〜７ｍ程度のサイズに形成すると積載可能になる。そして、複数の冷却除湿モジュール１０を上下方向に連結したときの各冷却除湿モジュール１０の空気処理量の総和が大型プラントの空気処理量に適応するものになる（図１参照）。
【００２６】
図示の冷却除湿モジュール１０は、底部２の周縁と胴体部１の開口部１Ａ周縁とに接続フランジ９が形成されており、この接続フランジ９を介して上下の冷却除湿モジュール１０を着脱自在に連結するものである（図２参照）。
【００２７】
また、複数暖組み合わせて１つの除湿装置を構成する場合、特に、最上段に接続された冷却除湿モジュール１０の胴体部１の開口部１Ａの接続フランジ９に密閉用の鏡板３を装着し、一方、最下段に接続された冷却除湿モジュール１０の排水管８にオートドレン弁を接続することで、大容量の除湿装置が完成する（図１参照）。
【００２８】
冷却除湿モジュール１０は、略筒状の胴体部１に底部２を設けた構成を成している（図２参照）。胴体部１には、圧縮空気を導入する空気入口４と、除湿された圧縮空気を排出する空気出口５とが上下に形成されている。一方、胴体部１の内部には、冷却液を循環せしめる冷却用コイル６と冷却された圧縮空気からドレンを分離するデミスター７とが備えられている。冷却用コイル６には、冷却器やクーリングタワーから冷水を供給する入水管６Ａと冷却後の水を排出する排水管６Ｂとが連結されている。
【００２９】
更に、前記冷却除湿モジュール１０の底部２にドレン排出用の排水管８を着脱管自在に連結している。そして、上部の冷却除湿モジュール１０から排出されるドレンを下部の冷却除湿モジュール１０の冷却媒体として使用する。図示例では、ドレン排出用の排水管８を屈曲してＵトラップ状に形成し、該排水管８でドレンを溜めるサイホン式トラップを設け、該排水管８を通して各冷却除湿モジュール１０の圧縮空気が移動しないように設けている（図２参照）。そして、この排水管８から排出されるドレンを冷却除湿モジュール１０内部の冷却用コイル６上に落下するように配置している（図１参照）。
【００３０】
このような排水トラップにより、排水管８を通して各冷却除湿モジュール１０の圧縮空気が上下に隣接する冷却除湿モジュール１０内に移動しないようにしている。この結果、各冷却除湿モジュール１０は、独立した除湿機能を有すると共に、各冷却除湿モジュール１０から排出されるドレンを直下の冷却除湿モジュール１０の冷却媒体として使用することが可能になる。
【００３１】
最下段の冷却除湿モジュール１０においては、排水管８の変わりにオートドレン弁１１を装着して、最下段の冷却除湿モジュール１０から排出されるドレンを自動的に排出するようにしている。図示例では、排水管８をオートドレン弁１１に交換した状態を示しているが、排水管８の端部にオートドレン弁１１を連結することも可能である。この際、最下段の冷却除湿モジュール１０を土台２０が支えている。この土台２０は、上下に連結された複数の冷却除湿モジュール１０全体を支える土台２０であるから、冷却除湿モジュール１０の数や地盤の状況に応じて構成や材質を自由に変更するものである。
【００３２】
上述の如き冷却除湿モジュール１０を使用する本発明除湿方法は、次のとおりである。すなわち、冷却除湿モジュール１０を上下に複数台連結したときの空気処理量の総和を大型プラントの空気処理量に適応させる。換言すると大型プラントの空気処理量に応じて冷却除湿モジュール１０の台数を決定し使用場所に運搬する。そして、現地において、地盤に固定した土台２０の上に冷却除湿モジュール１０をタワー状に連結する。最上段の冷却除湿モジュール１０には鏡板３を装着して密閉する。各冷却除湿モジュール１０の冷却用コイル６に冷却水を循環すると共に、除湿する圧縮空気を空気入口４から供給し、除湿された空気を空気出口５から排出する。更に、除湿の際に排出されるドレンを下部の冷却除湿モジュール１０の冷却用コイル６に供給し、このドレンを冷却媒体として有効利用する除湿方法である。
【００３３】
尚、本発明の冷却除湿モジュール１０の形状や冷却用コイル６、デミスター７等の構成などは図示例に限定されるものではなく、本発明の要旨を変更しない範囲において自由に変更できるものである。
【産業上の利用可能性】
【００３４】
本発明によると、上下２段の構成に限られず３段以上に連結して超大容量の除湿装置として使用することが可能である。
【符号の説明】
【００３５】
１  胴体部
１Ａ  開口部
２  底部
３  鏡板
４  空気入口
５  空気出口
６  冷却用コイル
６Ａ  入水管
６Ｂ  排水管
７  デミスター
８  排水管
９  接続フランジ
１０  冷却除湿モジュール
１１  オートドレン弁
２０  土台
【図１】
2011005384.tif 000003
【図２】
2011005384.tif 000004